(57)【要約】【課題】  ナビゲーションデバイスに情報を提供する方法、およびナビゲーションデバイスを動作させる方法を提供すること。【解決手段】  本発明は、ナビゲーションデバイスのデータベースシステムに関し、このシステムは、街路情報を含む、少なくとも１つの第１のデータを含む第１のデータベースと、この第１のデータとは無関係のロケーション情報を含む、少なくとも第２のデータを含む第２のデータベースと、第１のデータを格納するための第１のメモリ領域および第２のデータを格納するための第２のメモリ領域を備える動作メモリユニットと、第１および第２のデータを処理し、これらの処理された第１および第２のデータをナビゲーションデバイスに供給する処理ユニットであって、第１および第２のデータをそれぞれ処理するために、第１および第２のメモリ領域にアクセスする、処理ユニットとを備える。【選択図】  図１
2004340951.tif 000002
【特許請求の範囲】
【請求項１】
ナビゲーションデバイスのデータベースシステムであって、
街路情報を含む、少なくとも第１のデータを含む第１のデータベースと、
該第１のデータとは無関係のロケーション情報を含む、少なくとも第２のデータを含む第２のデータベースと、
該第１のデータを格納するための第１のメモリ領域、および該第２のデータを格納するための第２のメモリ領域を含む動作メモリユニットと、
該第１および該第２のデータを処理して、該処理された第１および第２のデータを該ナビゲーションデバイスに供給する処理ユニットであって、該第１および該第２のデータをそれぞれ処理するために、該第１および該第２のメモリ領域にアクセスする、処理ユニットと
を備える、データベースシステム。
【請求項２】
前記第１のデータベース内の前記第１のデータの前記街路情報は、街路マップに対応する情報を含むことを特徴とする、請求項１に記載のデータベースシステム。
【請求項３】
前記第２のデータベースは、データセットを含むことを特徴とする、請求項１または２に記載のデータベースシステム。
【請求項４】
前記第２のデータベースは、少なくとも地理的位置データを含むことを特徴とする、請求項１〜３のいずれかに記載のデータベースシステム。
【請求項５】
前記データセットは、該データセットの前記地理的位置データに従って、前記第２のデータベースに配置されることを特徴とする、請求項３または４に記載のデータベースシステム。
【請求項６】
前記データセットは、前記ロケーション情報および／または目的地（ＰＯＩ）の情報を含むことを特徴とする、請求項３〜５のいずれかに記載のデータベースシステム。
【請求項７】
前記データベースシステムは、前記第２のデータベースの前記地理的位置データに関する種々のブロックを含む第３のデータベースを含み、各ブロックは、種々の地理的位置データを有する種々のデータセットを含むことを特徴とする、請求項４〜６のいずれかに記載のデータベースシステム。
【請求項８】
前記第３のデータベースの各ブロックは、前記ブロック内に含まれる前記データセットの前記地理的情報に関するインデックスを含むことを特徴とする、請求項７に記載のデータベースシステム。
【請求項９】
前記第１のデータベースは、第１の格納ユニットに格納され、前記第２のデータベースは、第２の格納ユニットに格納されることを特徴とする、請求項１〜８のいずれかに記載のデータベース。
【請求項１０】
前記第１のデータベースおよび前記第２のデータベースは、単一の第３の格納ユニットに格納されることを特徴とする、請求項１〜８のいずれかに記載のデータベースシステム。
【請求項１１】
前記第１および／または前記第２および／または前記第３の格納ユニットは、前記車両のナビゲーションデバイスに含まれることを特徴とする、請求項９または１０に記載のデータベースシステム。
【請求項１２】
前記第２のデータベースは、無線通信を用いて、前記データベースシステムのコントロールユニットと通信することを特徴とする、請求項１〜１１のいずれかに記載のデータベースシステム。
【請求項１３】
前記第２のデータベース内の前記ロケーション情報は、街路名、街路の方向規制、ホテル、レストラン、記念碑、イベント、スポーツ競技場、変動および／または定常速度制限、ならびに／あるいは建造物を含むことを特徴とする、請求項１〜１２のいずれかに記載のデータベースシステム。
【請求項１４】
前記第２のデータベース内の前記ロケーション情報は、速度制限、「追い越し禁止」制限、道路の曲率半径および／または道路の勾配等の道路関連データを含むことを特徴とする、請求項１〜１３のいずれかに記載のデータベースシステム。
【請求項１５】
前記第２のデータが前記第２のメモリ領域に存在する間、前記第１のメモリ領域に供給された前記第１のデータが処理ユニットによって処理され、または、該第１のデータが該第１のメモリ領域に存在する間、前記第２のメモリ領域に供給された該第２のデータが処理ユニットによって処理される、ことを特徴とする、請求項１〜１４のいずれかに記載のデータベースシステム。
【請求項１６】
前記動作メモリユニットの前記第１のメモリ領域は、第１のデータを含むのみであり、該動作メモリユニットの前記第２のメモリ領域は、第２のデータを含むのみであることを特徴とする、請求項１〜１５のいずれかに記載のデータベースシステム。
【請求項１７】
前記動作メモリユニットは、前記ナビゲーションデバイスのランダムアクセスメモリ（ＲＡＭ）であることを特徴とする、請求項１〜１６のいずれかに記載のデータベースシステム。
【請求項１８】
前記請求項１〜１７のいずれかに記載のデータベースシステムを備える、ナビゲーションデバイス。
【請求項１９】
前記車両のロケーションを決定するためのＧＰＳ受信器をさらに備える、請求項１８に記載のナビゲーションデバイス。
【請求項２０】
前記第１および／または前記第２のデータベースと無線通信するための入力／出力ユニットおよび送信器／受信器ユニットをさらに備える、請求項１８または１９に記載のナビゲーションデバイス。
【請求項２１】
ナビゲーションデバイスに情報を提供する方法であって、
第１のデータベースに格納された街路情報を含む第１のデータを、動作メモリユニットの第１のメモリ領域に供給するステップと、
第２のデータベースに格納されたロケーション情報を含む第２のデータを、該動作メモリユニットの第２のメモリ領域に供給するステップであって、該第２のデータは、該第１のデータとは無関係である、ステップと、
前記処理ユニットによって該第１のデータおよび／または該第２のデータを処理して、該第１のデータおよび／または該第２のデータを該ナビゲーションデバイスに供給するステップと
を包含する、方法。
【請求項２２】
ＧＰＳ受信器を用いてＧＰＳ信号を検出するステップをさらに包含する方法であって、該ＧＰＳ受信器は、車両に搭載される、請求項２１に記載の方法。
【請求項２３】
前記第２のデータベース内の前記第２のデータは、地理的位置データをさらに含む、請求項２１または２２に記載の方法。
【請求項２４】
ロケーション情報を含む前記第２のデータは、該第２のデータの前記地理的位置データに従って、前記第２のデータベースに配置される、請求項２３に記載の方法。
【請求項２５】
前記検出されたＧＰＳ信号を、前記第２のデータベースに格納された前記地理的位置データと比較するステップをさらに包含する、請求項２１〜２４に記載の方法。
【請求項２６】
前記ロケーション情報データは、所定の要件を満たす地理的位置データと共に前記ナビゲーションデバイスに供給される、請求項２５に記載の方法。
【請求項２７】
前記検索ユニットは、前記所定の要件を満たす前記第２のデータベース内のロケーション情報データを検索する、請求項２６に記載の方法。
【請求項２８】
前記所定の要件は、基準点に対する所定の距離の範囲内のすべての地理的位置を含む、請求項２６または２７に記載の方法。
【請求項２９】
前記基準点は、前記ナビゲーションデバイスを備える車両の前記地理的位置に対応するか、または、該ナビゲーションデバイスにユーザによって入力された行き先に対応する、請求項２８に記載の方法。
【請求項３０】
前記ナビゲーションデバイスの前記ユーザに、前記所定の要件を満たす前記地理的位置データについて通知される、請求項２６〜２９のいずれかに記載の方法。
【請求項３１】
前記ロケーション情報を含む前記第２のデータは、無線通信を用いて、前記ナビゲーションデバイスに供給される、請求項２１〜３０のいずれかに記載の方法。
【請求項３２】
前記第２のデータベースの前記地理的位置データに関する種々のブロックを含む第３のデータベースが生成され、各ブロックは、種々の地理的位置データを含む、請求項２１〜３１のいずれかに記載の方法。
【請求項３３】
前記所定の要件を満たす前記ロケーション情報は、前記ナビゲーション装置の表示デバイス上に表示され、および／または音声によって告げられる、請求項２６〜３２のいずれかに記載の方法。
【請求項３４】
前記第１のデータベースに格納された前記第１のデータ、および前記第２のデータベースに格納された前記第２のデータは、前記処理ユニットによって同時に処理されて、表示ユニット上に共に表示される、請求項２１〜３３のいずれかに記載の方法。
【請求項３５】
前記第２のデータが前記第２のメモリ領域に存在している間、前記第１のメモリ領域に供給される前記第１のデータが処理ユニットによって処理されるか、あるいは、該第１のデータが該第１のメモリ領域に存在している間、該第２のメモリ領域に供給された該第２のデータが該処理ユニットによって処理される、請求項２１〜３４のいずれかに記載の方法。
【請求項３６】
前記第１および前記第２のデータを処理する前記処理ユニットは、前記第１および前記第２のメモリ領域にそれぞれアクセスする、請求項２１〜３５のいずれかに記載の方法。
【請求項３７】
ナビゲーションデバイスを動作させる方法であって、
該デバイスのロケーションを決定するためのＧＰＳ受信器を用いてＧＰＳ信号を検出するステップと、
第１のデータベース内に格納された街路情報を含む第１のデータを、動作メモリユニットの第１のメモリ領域に供給するステップと、
第２のデータベース内に格納された地理的位置を有するロケーション情報を含む第２のデータを、該動作メモリユニットの第２のメモリ領域に供給するステップであって、該第２のデータは、該第１のデータとは無関係である、ステップと、
処理ユニットによって該第１のデータおよび該第２のデータを処理して、該第１のデータおよび該第２のデータを該ナビゲーションデバイスに供給する、ステップと
を包含する、方法。
【請求項３８】
前記ナビゲーションデバイスの前記ユーザに、前記処理された第１および／または前記第２のデータについて通知するステップをさらに包含する、請求項３７に記載の方法。
【請求項３９】
前記ナビゲーションデバイスの前記ユーザに、所定の要件を満たす前記第２のデータについて通知される、請求項３７または３８に記載の方法。
【請求項４０】
前記第２のデータが前記第２のメモリ領域に存在している間、前記第１のメモリ領域に供給された前記第１のデータは、前記処理ユニットによって処理されるか、または、該第１のデータが該第１のメモリ領域に存在している間、前記第２のメモリに供給された前記第２のデータは、該処理ユニットによって処理される、請求項３７〜３９のいずれかに記載の方法。
【発明の詳細な説明】
【技術分野】
【０００１】
本発明は、ナビゲーションデバイスのデータベースシステムに関し、このようなデータベースシステムを備えるナビゲーションデバイスに関する。本発明は、さらに、ナビゲーションデバイスに情報を提供する方法に関し、およびナビゲーションデバイスを動作させる方法に関する。
【背景技術】
【０００２】
車両に通常用いられる従来のナビゲーションデバイスにおいて、車両の現在位置は、グローバルポジショニングシステム（ＧＰＳ）を用いて検出される。ロードマップデータおよび、ロードマップデータに関する情報は、例えば、ナビゲーションデバイスに取り付けられたコンパクトディスク等の記録媒体から読み出される。ユーザによって入力された現在位置から行き先までのルートが決定され、車両は、行き先までの決定されたルートを画像および音声を用いて選択するように案内される。あるタイプの公知のカーナビゲーションシステムは、例えば、マップデータが格納され、かつ、車内のナビゲーションシステムのコントロールユニットにロードされるＣＤ  ＲＯＭ等の記録媒体を用いる。
【０００３】
特許文献１は、標準的道路データおよび追加的道路データを含むマップデータがメモリに格納されたナビゲーション装置に関する。標準的道路データまたは追加的道路データは、走行車両の検出された現在位置に基づいて選択され、この選択された道路データを用いてマップ整合処理が実行される。
【０００４】
特許文献２は、ナビゲーションユニットを用いる車両の速度表示デバイスに関する。ナビゲーションユニットには、ＣＤ  ＲＯＭに格納されたマップおよび道路速度制限データがロードされている。
【０００５】
すべての公知のナビゲーションシステムは、街路の幾何学的局面、すなわち、位置、長さ、地理的高度、および、街路の方向に関する街路データを含む。この街路情報データを用いてマップが作成され得る、例えば、表示ユニット上でモニタリングされ得る。これらの幾何学的街路データは、通常、街路の長さおよび方向を示すベクトルとして格納される。しかしながら、街路データは、格納および簡単に処理するために適切な任意の他の形態を有し得る。ナビゲーションシステムは、通常、ロケーション情報を含むさらなるデータを含む。ロケーション情報を含むこれらのさらなるデータは、例えば、街路名、街路が幹線道路であるのか、または小さい歩道であるのかといった街路の分類を含む。このさらなるロケーション情報データは、ホテル、ガソリンスタンドに関する情報、または、ナビゲーションデバイスのユーザによって有用であり得る任意の他の情報をさらに含み得る。
【０００６】
これらのすべての公知のナビゲーションデバイスは、ロケーション情報を含むさらなるデータが、街路情報を含むデータと共に格納されるという共通点がある。これは、ロケーション情報を含むデータが、街路データにリンクされることを意味する。マップの特定の領域を表示するために必要とされるデータがナビゲーションシステムのデータバッファにロードされた場合、街路データと、ロケーション情報を含む他のデータへのリンクとを含む全データがロードされる必要がある。
【０００７】
これらのデータの格納は、非常に複雑であり、非常に時間がかかる。さらに、全データを格納するためには、大きいメモリ空間が必要とされる。
【０００８】
特許文献３は、データベース、ＧＰＳ受信器、および表示を備える自動車用のデータデバイスを開示する。少なくともロケーションの名称および地理的データを有するローカルデータレコードがデータベースに格納される。自動車の実際の位置は、ＧＰＳ受信器によって決定され得る。ローカルデータレコードが選択され、その名称が表示上に示される。さらなる情報が車両の実際の位置に基づいて生成される。
【０００９】
さらに、有名な記念碑、建造物、あるいは、町または村等のさらなるロケーション情報が、例えば、ＣＤ等の電子媒体に、地理的位置データと共に格納されたデータ電子トラベルガイドが公知である。公知のナビゲーションシステムにおいて、これらの電子トラベルガイドに格納された情報が、ナビゲーションデバイスの動作メモリにロードされ、かつ、ナビゲーションデバイスのディスプレイ上に表示され得る。しかしながら、特定の行き先にユーザをナビゲートするためにナビゲーションデバイスが用いられる場合、動作メモリ空間全体が、選択された行き先の行程を示すために用いられるマップデータで占められる。ナビゲーションデバイスのユーザが、電子トラベルガイドからさらなる情報を得ようとした場合、このトラベルガイドは、ナビゲーションデバイスの動作モード、すなわち、車両をナビゲートするための動作モードと共に用いることができない。トラベルガイドの電子格納媒体に格納されたさらなるロケーション情報が表示される必要がある場合、この電子トラベルガイドの情報は、ナビゲーションデバイスの動作メモリにロードされる必要がある。しかしながら、ナビゲーションデバイスのユーザをナビゲートするために、動作メモリに格納された、マップデータを含むすべての情報が、動作メモリからクリアされる必要がある。動作メモリをクリアすることなく、２つの動作モード間を切替えることは不可能である。
【特許文献１】欧州特許出願公開第１２５６７８２Ａ１号明細書
【特許文献２】欧州特許出願公開第１１６２１０２Ａ２号明細書
【特許文献３】国際公開第９９／４７８９３号パンフレット
【発明の開示】
【発明が解決しようとする課題】
【００１０】
従って、本発明の目的は、小さい格納空間しか必要とせず、かつ、ナビゲーションシステムに格納されたすべての情報が独立して用いられる場合には、街路情報データおよびロケーション情報データが同時に使用および表示される、簡単な構造を有するナビゲーションデバイス用のデータベースシステムを提供することである。
【課題を解決するための手段】
【００１１】
本発明のある局面によると、街路情報を含む、少なくとも第１のデータを含む第１のデータベースと、第１のデータとは無関係のロケーション情報を含む、少なくとも第２のデータを含む第２のデータベースとを備えるナビゲーションデバイスのデータベースシステムが提供される。これは、本発明により、ロケーション情報を含む第２のデータが、街路情報を含む第１のデータにリンクされず、これにより、第２のデータは、第１のデータを用いずに用いられ得ることを意味する。これにより、データ処理に極めて高い柔軟性がもたらされる。街路情報を含む第１のデータのみが用いられた場合、必要とされる格納容量が低減され得る。ロケーション情報を含む第２のデータは、ナビゲーションデバイスのデータベースシステムに別個に供給され得る。さらに、ロケーション情報を含む第２のデータは、公知のナビゲーションデバイスの標準的マップデータには、まだ存在しないさらなる情報を含み得る。
【００１２】
本発明によるデータベースシステムは、第１のデータを格納するための第１のメモリ領域、および、第２のデータを格納するための第２のメモリ領域を備える動作メモリユニットをさらに備える。第１および第２のデータを処理し、処理された第１および第２のデータをナビゲーションデバイスに供給する処理ユニットは、第１のデータおよび第２のデータを処理するために、第１および第２のメモリ領域にそれぞれアクセスする。これは、本発明により、動作メモリユニットが２つの部分に分割され、各部分は、第１のデータのために、および第２のデータのために「予約（ｒｅｓｅｒｖｅｄ）」されることを意味する。新しいデータベースシステムにより、街路情報を含む第１のデータおよびロケーション情報を含む第２のデータは、同時に用いられ得る。これは、データの種類ごとに、動作メモリユニットにおける特定の領域が存在することが可能である。本発明によると、ナビゲーションデバイスのデータベースシステムのユーザは、ナビゲーションデバイスのナビゲーションモードと、さらなるロケーション情報とを同時に用い得る。これは、処理ユニットが、第１および第２のメモリ領域のそれぞれに、同時に提供された第１および第２のデータを処理し得るので可能である。本発明における「同時に」という単語は、処理ユニットが、これらの２つのデータを同時に処理し、かつ、さらなるデータをロードする前に、動作メモリユニットの１つのメモリ領域をクリアする必要なく、表示するためのナビゲーションデバイスにこれらのデータを供給し得ることを意味する。
【００１３】
本発明の好ましい実施形態によると、第２のデータが第２のメモリ領域に存在している間、第１のメモリ領域に供給された第１のデータが、処理ユニットによって処理されるか、または、第１のデータが第１のメモリ領域に存在している間、第２のメモリ領域に供給された第２のデータが処理ユニットによって処理される。換言すると、第２のメモリ領域の第２のデータおよび第１のメモリ領域の第１のデータが同時に処理されて、ナビゲーションデバイスに供給され得る。
【００１４】
さらに、動作メモリユニットの第１のメモリ領域は、第１のデータのみを含み得、動作メモリユニットの第２のメモリ領域は、第２のデータのみを含み得る。これは、第１のメモリ領域には第２のデータが存在せず、第２のメモリ領域には、第１のデータが存在しないことを意味する。
【００１５】
本発明の好ましい実施形態において、動作メモリユニットは、ナビゲーションデバイスのランダムアクセスメモリＲＡＭである。
【００１６】
第１のデータベース内の第１のデータの街路情報が、街路マップに対応する情報を含むことが好ましい。従って、第１のデータを含む第１のデータベースは、街路マップを構築するために必要なすべての情報、すなわち、ナビゲーションデバイスの表示ユニット上に表示されるべき街路の経度、緯度、高度、方向、および長さ等の、すべての地理的情報等を格納する。
【００１７】
第２のデータベースは、データセットを含み得る。これらのデータセットは、異なったロケーション情報が格納され得る異なったデータフィールドを含み得る。
【００１８】
本発明の好ましい実施形態によると、第２のデータベースは、少なくとも地理的位置データを含む。これらの地理的位置データは、地球上の正確な位置を決定するために必要とされる。
【００１９】
本発明の好ましい実施形態によると、ロケーション情報を含み得るデータセットは、データセットの地理的位置データに従って、第２のデータベースに配置される。これは、第２のデータベースが、第２のデータベースの異なったデータセットを各付けするために、地理的位置データを用いることによって作成されることを意味する。第２のデータベースのこれらのデータセットは、ロケーション情報および／または目的地（ＰＯＩ）の情報を含む。ＰＯＩの情報は、特定の行き先（ガソリンスタンド、博物館、ホテル、レストラン、または、有名な記念碑）の情報を含み得る。これらの行き先は、通常、ユーザがこれらの行き先の住所を入力することによって選択されるのではなく、オブジェクトそれ自体で選択される行き先である。第２のデータベースのデータセットは、地理的位置の道路に関するデータをさらに含み得る。これらの道路に関するデータは、速度制限、「追い越し禁止」標識、または急カーブの警告の、通常、道路標識に含まれる情報を含み得る。これらの道路関連データは、車両のユーザが道路標識に対して認識し得る情報だけを含み得るのではなく、これらの道路関連データは、「仮想」道路標識の情報も含み得る。これらの「仮想」道路標識は、曲率半径等の道路に関連した任意の情報を含み得る。これらの道路関連データは、気象関連情報も含み得、この情報は、車両に取り付けられたセンサによって検出される、例えば、雪または雨の状態等の情報である。
【００２０】
データベースシステムが、第２のデータベースの地理的位置データに関する種々のブロックを含み、各ブロックが、いくつかの地理的位置データを有するいくつかのデータセットを含む第３のデータベースをさらに含むことが好ましい。
【００２１】
さらに、第３のデータベースの各ブロックは、そのブロック内に含まれるデータセットの地理的情報に関するインデックスを含み得る。この第３のデータベースは、ある特定の地理的情報のロケーション情報を含むデータの検索を容易にするために用いられる。第１のステップにおいて、種々のブロックを含む第３のデータベースは、特定のロケーションを発見するために用いられる。必要とされる情報を含むブロックは、第２のデータベースのデータセットを参照する。適切なロケーション情報は、このデータベースの階層構造が用いられた場合、はるかに高速であり、かつ、より簡単に発見され得る。
【００２２】
第１のデータベースが第１の格納ユニットに格納され得、第２のデータベースが第２の格納ユニットに格納され得、これにより、その格納ユニットに適切な情報が格納されるための、より多くの空間が各格納ユニットにおいて利用可能である。しかしながら、第１のデータベースおよび第２のデータベースは、さらに、単一の第３の格納ユニットに格納されてもよい。
【００２３】
本発明のさらなる局面によると、第２のデータベースは、ワイヤレス通信を用いることによって、データベースシステムのコントロールユニットと通信し得る。これは、ロケーション情報を含む第２のデータベースが、ワールドワイドウェブを用いてＴＣＰ／ＩＰプロトコルにアクセス可能であるサーバの一部分であり得ることを意味する。これは、ロケーション情報を含む第２のデータを有する第２のデータベースが、より頻繁に更新されるべき場合（このロケーション情報を含むＣＤ  ＲＯＭが市販のナビゲーションデバイスの部分である場合がそうである）に有利である。ナビゲーションデバイスと第２のデータベースとの間のデータ伝送は、さらに、赤外線、ブルートゥース、ワイヤレスＬＡＮ、ＧＳＭ、ＧＰＲＳおよび／またはＵＭＴＳ、あるいは、これらのデータを伝送するために適切な任意の他の技術を用いることによってもセットアップされ得る。
【００２４】
本発明の別の実施形態によると、第１および／または第２および／または第３の格納ユニットは、車両のナビゲーションデバイスに含まれる。従って、ナビゲーションデバイスのユーザは、ロケーション情報データのみを含む格納ユニットを購買し得る。通常、これらのデータは、街路情報を含む第１のデータが変更されるよりも、はるかに頻繁に変更され、これにより、ロケーション情報を含む第２のデータのみが更新された場合、ナビゲーションシステムの更新が、より簡単および安価に取得され得る。
【００２５】
第２のデータベースに送信されたすべてのデータ（例えば、気象による道路の状態などの道路関連データ、または、例えば、ホテル等のロケーション情報）は、ナビゲーションデバイスにダウンロードされた後に、ＲＡＭ、フラッシュメモリ、またはハードディスクに保存され得る。
【００２６】
第２のデータベース内のロケーション情報は、街路名、街路の方向規制、ホテル、レストラン、記念碑、イベント、スポーツ競技場、変動速度制限（ｍｏｂｉｌｅ  ｓｐｅｅｄ  ｌｉｍｉｔ）制限および／または定常速度制限（ｓｔａｔｉｏｎａｒｙ  ｓｐｅｅｄ  ｌｉｍｉｔ）、ならびに／あるいは建造物を含み得る。ロケーション情報を含む第２のデータは、街路の幾何学的条件とは関係がないが、このナビゲーションデバイスを有する車両を用いた走行に有用であり得る任意の他の情報を含み得る。第２のデータは、規則的に更新される交通情報をさらに含み得る。
【００２７】
本発明は、さらに、上述のデータベースシステムを含むナビゲーションデバイスに関する。このナビゲーションデバイスは、車両の位置を決定するためのＧＰＳ受信器を備える。さらに、ナビゲーションデバイスは、第１および／または第２のデータベースと無線通信するための入力／出力ユニット、および送信器／受信器ユニットを備え得る。
【００２８】
本発明は、さらに、第１のデータベースに格納された街路情報を含む第１のデータがメモリユニットの第１のメモリ領域に供給され、第２のデータベースに格納されたロケーション情報を含む第２のデータが動作メモリユニットの第２のメモリ領域に供給されるステップであって、この第２のデータは、第１のデータとは無関係である、ステップを包含するナビゲーションデバイスに情報を提供する方法に関する。これは、第１のデータと第２のデータとが、互いに独立して用いられ得ることを意味する。街路情報を含む第１のデータを提供する際に、ロケーション情報を含む第２のデータが自動的に提供される必要はない。上述のように、第１のデータおよび第２のデータは、相互にリンクしていない。第１および／または第２のデータは、その後、処理ユニットによって処理され、そして、ナビゲーションデバイスに供給される。この情報を提供する方法によると、第１のデータと第２のデータとは、「同時に」用いられ得る。
【００２９】
本発明の別の局面によると、ＧＰＳ信号は、ＧＰＳ受信器を用いることによって検出される。このＧＰＳ受信器は、車両に搭載（ｉｎｓｔａｌｌ）され得る。このＧＰＳ受信器は、宇宙空間にあるＧＰＳ衛星から信号を受信し、これにより、車両の正確なロケーションが決定され得る。
【００３０】
第２のデータベース内の第２のデータは、地理的位置データをさらに含み得る。ロケーション情報を含む第２のデータは、好ましくは、第２のデータの地理的位置データに従って、第２のデータベース内に配置される。上述のように、これらの第２のデータは、データセットに格納され得、このデータセットは、データセットの地理的位置データに従って、第２のデータベース上に配置される。
【００３１】
さらなるステップにおいて、検出されたＧＰＳ信号は、第２のデータベースに格納される地理的位置情報と比較される。
【００３２】
所定の要件を満たす地理的位置データを有するロケーション情報データは、さらなる処理のためにナビゲーション装置に供給され得る。この所定の要件は、例えば、マップ上の所定のロケーション、または、所定の行き先への所定の行程であり得る。この所定の要件を満たす、すべてのロケーション情報データは、その後、ナビゲーション装置に供給されて、ユーザに送信され得る。
【００３３】
好ましくは、検索ユニットは、所定の要件を満たす第２のデータベース内のロケーション情報データを検索する。この所定の要件は、基準点に対する特定の距離であり得、すなわち、検索ユニットが第２のデータベース内のこれらのデータを検索した後、この距離の範囲内に位置するすべてのロケーション情報データがナビゲーション装置に供給される。所定の要件は、基準点に対する所定の距離の範囲内のすべての地理的位置を含み得る。この基準点は、ナビゲーションデバイスを備える車両の地理的位置に応答し得るか、または、ユーザによるナビゲーションデバイスへの行き先入力に対応し得る。
【００３４】
ロケーション情報を含む第２のデータは、ナビゲーションデバイス内の格納ユニットに格納され得る。ナビゲーションユニットを備える車両に、この格納ユニットが搭載されていない場合、このロケーション情報データは、無線通信を用いることによっても提供され得る。
【００３５】
第２のデータベースの地理的位置データに関する種々のブロックを含む（各ブロックがいくつかの地理的位置データを含む）第３のデータベースが生成され、特定のロケーション情報の検索が加速され得る。
【００３６】
所定の要件を満たすロケーション情報は、ナビゲーション装置の表示デバイス上に表示され得るか、または、音声によって通知され得る。さらに、ロケーション情報は、ロケーション情報を示すビデオを用いることによっても表示され得る。本発明のある実施形態によると、第１のデータベースに格納された第１のデータ、および第２のデータベースに格納された第２のデータの両方が、処理ユニットによって処理されて、表示ユニット上に共に表示される。これは、従来技術のナビゲーションシステムから公知であるように、マップ情報を含み、かつ、さらなるロケーション情報を含む表示をユーザが有し得ることを意味する。
【００３７】
本発明によると、第１のデータベースに格納される第１のデータおよび第２のデータベースに格納される第２のデータは、処理ユニットによって同時に処理されて、表示ユニット上に共に表示される。これは、第２のデータは、第２のメモリ領域に存在している間、第１のメモリ領域に提供された第１のデータが処理ユニットによって処理され、逆に、第１のデータが第１のメモリ領域に存在している間、第２のメモリに提供された第２のデータが、処理ユニットによって処理されることを意味する。
【００３８】
本発明は、さらに、ナビゲーションデバイスを動作させる方法に関する。第１のステップによると、車両のロケーションを決定するために、ＧＰＳ受信器を用いることによってＧＰＳ信号が検出される。第２のステップにおいて、第１のデータベースに格納された街路情報を含む第１のデータは、動作メモリユニットの第１のメモリ領域に供給される。さらに、ロケーション情報を含む第２のデータ、および第２のデータベース内に格納されたその地理的位置が、動作メモリユニットの第２のメモリ領域に供給され、この第２のデータは、第１のデータとは無関係である。次のステップにおいて、第１のデータおよび第２のデータは、処理ユニットによって処理されて、ナビゲーションデバイスに供給される。本発明の好ましい実施形態によると、所定の要件を満たす第２のデータのみが提供される。
【００３９】
次のステップにおいて、街路上の車両の位置は、ロケーション情報データと共に表示され得る。本発明によると、第２のデータベースは、種々のデータセット内に格納されたさらなる情報を含み得る。これは、従来のナビゲーションシステムの場合、さらなるロケーション情報が街路情報にリンクされていたので、公知のナビゲーションデバイスを用いてでは不可能であった。このシステムを用いて、システムを過剰に複雑化しないために、多様なロケーション情報は、ナビゲーションデバイス内に格納され得ない。
【００４０】
本発明の他の目的、特徴、および利点は、添付の図面を参照する以下の説明の進行と共に明らかになる。
【００４１】
本発明によるデータベースシステムは、ナビゲーションデバイスのデータベースシステムであって、街路情報を含む、少なくとも第１のデータを含む第１のデータベースと、該第１のデータとは無関係のロケーション情報を含む、少なくとも第２のデータを含む第２のデータベースと、該第１のデータを格納するための第１のメモリ領域、および該第２のデータを格納するための第２のメモリ領域を含む動作メモリユニットと、該第１および該第２のデータを処理して、該処理された第１および第２のデータを該ナビゲーションデバイスに供給する処理ユニットであって、該第１および該第２のデータをそれぞれ処理するために、該第１および該第２のメモリ領域にアクセスする、処理ユニットとを備え、これにより上記目的を達成する。
【００４２】
前記第１のデータベース内の前記第１のデータの前記街路情報は、街路マップに対応する情報を含むことを特徴としてもよい。
【００４３】
前記第２のデータベースは、データセットを含むことを特徴としてもよい。
【００４４】
前記第２のデータベースは、少なくとも地理的位置データを含むことを特徴としてもよい。
【００４５】
前記データセットは、該データセットの前記地理的位置データに従って、前記第２のデータベースに配置されることを特徴としてもよい。
【００４６】
前記データセットは、前記ロケーション情報および／または目的地（ＰＯＩ）の情報を含むことを特徴としてもよい。
【００４７】
前記データベースシステムは、前記第２のデータベースの前記地理的位置データに関する種々のブロックを含む第３のデータベースを含み、各ブロックは、種々の地理的位置データを有する種々のデータセットを含むことを特徴としてもよい。
【００４８】
前記第３のデータベースの各ブロックは、前記ブロック内に含まれる前記データセットの前記地理的情報に関するインデックスを含むことを特徴としてもよい。
【００４９】
前記第１のデータベースは、第１の格納ユニットに格納され、前記第２のデータベースは、第２の格納ユニットに格納されることを特徴としてもよい。
【００５０】
前記第１のデータベースおよび前記第２のデータベースは、単一の第３の格納ユニットに格納されることを特徴としてもよい。
【００５１】
前記第１および／または前記第２および／または前記第３の格納ユニットは、前記車両のナビゲーションデバイスに含まれることを特徴としてもよい。
【００５２】
前記第２のデータベースは、無線通信を用いて、前記データベースシステムのコントロールユニットと通信することを特徴としてもよい。
【００５３】
前記第２のデータベース内の前記ロケーション情報は、街路名、街路の方向規制、ホテル、レストラン、記念碑、イベント、スポーツ競技場、変動および／または定常速度制限、ならびに／あるいは建造物を含むことを特徴としてもよい。
【００５４】
前記第２のデータベース内の前記ロケーション情報は、速度制限、「追い越し禁止」制限、道路の曲率半径および／または道路の勾配等の道路関連データを含むことを特徴としてもよい。
【００５５】
前記第２のデータが前記第２のメモリ領域に存在する間、前記第１のメモリ領域に供給された前記第１のデータが処理ユニットによって処理され、または、該第１のデータが該第１のメモリ領域に存在する間、前記第２のメモリ領域に供給された該第２のデータが処理ユニットによって処理される、ことを特徴としてもよい。
【００５６】
前記動作メモリユニットの前記第１のメモリ領域は、第１のデータを含むのみであり、該動作メモリユニットの前記第２のメモリ領域は、第２のデータを含むのみであることを特徴としてもよい。
【００５７】
前記動作メモリユニットは、前記ナビゲーションデバイスのランダムアクセスメモリ（ＲＡＭ）であることを特徴としてもよい。
【００５８】
本発明によるナビゲーションデバイスは、上記のデータベースシステムを備え、これにより上記目的を達成する。
【００５９】
前記車両のロケーションを決定するためのＧＰＳ受信器をさらに備えていていもよい。
【００６０】
前記第１および／または前記第２のデータベースと無線通信するための入力／出力ユニットおよび送信器／受信器ユニットをさらに備えていていもよい。
【００６１】
本発明による方法は、ナビゲーションデバイスに情報を提供する方法であって、第１のデータベースに格納された街路情報を含む第１のデータを、動作メモリユニットの第１のメモリ領域に供給するステップと、第２のデータベースに格納されたロケーション情報を含む第２のデータを、該動作メモリユニットの第２のメモリ領域に供給するステップであって、該第２のデータは、該第１のデータとは無関係である、ステップと、前記処理ユニットによって該第１のデータおよび／または該第２のデータを処理して、該第１のデータおよび／または該第２のデータを該ナビゲーションデバイスに供給するステップとを包含し、これにより上記目的を達成する。
【００６２】
ＧＰＳ受信器を用いてＧＰＳ信号を検出するステップをさらに包含する方法であって、該ＧＰＳ受信器は、車両に搭載されてもよい。
【００６３】
前記第２のデータベース内の前記第２のデータは、地理的位置データをさらに含んでもよい。
【００６４】
ロケーション情報を含む前記第２のデータは、該第２のデータの前記地理的位置データに従って、前記第２のデータベースに配置されてもよい。
【００６５】
前記検出されたＧＰＳ信号を、前記第２のデータベースに格納された前記地理的位置データと比較するステップをさらに包含してもよい。
【００６６】
前記ロケーション情報データは、所定の要件を満たす地理的位置データと共に前記ナビゲーションデバイスに供給されてもよい。
【００６７】
前記検索ユニットは、前記所定の要件を満たす前記第２のデータベース内のロケーション情報データを検索してもよい。
【００６８】
前記所定の要件は、基準点に対する所定の距離の範囲内のすべての地理的位置を含んでもよい。
【００６９】
前記基準点は、前記ナビゲーションデバイスを備える車両の前記地理的位置に対応するか、または、該ナビゲーションデバイスにユーザによって入力された行き先に対応してもよい。
【００７０】
前記ナビゲーションデバイスの前記ユーザに、前記所定の要件を満たす前記地理的位置データについて通知されてもよい。
【００７１】
前記ロケーション情報を含む前記第２のデータは、無線通信を用いて、前記ナビゲーションデバイスに供給されてもよい。
【００７２】
前記第２のデータベースの前記地理的位置データに関する種々のブロックを含む第３のデータベースが生成され、各ブロックは、種々の地理的位置データを含んでもよい。
【００７３】
前記所定の要件を満たす前記ロケーション情報は、前記ナビゲーション装置の表示デバイス上に表示され、および／または音声によって告げられてもよい。
【００７４】
前記第１のデータベースに格納された前記第１のデータ、および前記第２のデータベースに格納された前記第２のデータは、前記処理ユニットによって同時に処理されて、表示ユニット上に共に表示されてもよい。
【００７５】
前記第２のデータが前記第２のメモリ領域に存在している間、前記第１のメモリ領域に供給される前記第１のデータが処理ユニットによって処理されるか、あるいは、該第１のデータが該第１のメモリ領域に存在している間、該第２のメモリ領域に供給された該第２のデータが該処理ユニットによって処理されてもよい。
【００７６】
前記第１および前記第２のデータを処理する前記処理ユニットは、前記第１および前記第２のメモリ領域にそれぞれアクセスしてもよい。
【００７７】
本発明による方法は、ナビゲーションデバイスを動作させる方法であって、該デバイスのロケーションを決定するためのＧＰＳ受信器を用いてＧＰＳ信号を検出するステップと、第１のデータベース内に格納された街路情報を含む第１のデータを、動作メモリユニットの第１のメモリ領域に供給するステップと、第２のデータベース内に格納された地理的位置を有するロケーション情報を含む第２のデータを、該動作メモリユニットの第２のメモリ領域に供給するステップであって、該第２のデータは、該第１のデータとは無関係である、ステップと、処理ユニットによって該第１のデータおよび該第２のデータを処理して、該第１のデータおよび該第２のデータを該ナビゲーションデバイスに供給する、ステップとを包含し、これにより上記目的を達成する。
【００７８】
前記ナビゲーションデバイスの前記ユーザに、前記処理された第１および／または前記第２のデータについて通知するステップをさらに包含してもよい。
【００７９】
前記ナビゲーションデバイスの前記ユーザに、所定の要件を満たす前記第２のデータについて通知されてもよい。
【００８０】
前記第２のデータが前記第２のメモリ領域に存在している間、前記第１のメモリ領域に供給された前記第１のデータは、前記処理ユニットによって処理されるか、または、該第１のデータが該第１のメモリ領域に存在している間、前記第２のメモリに供給された前記第２のデータは、該処理ユニットによって処理されてもよい。
【発明の効果】
【００８１】
本発明のある局面によると、街路情報を含む、少なくとも第１のデータを含む第１のデータベースと、第１のデータとは無関係のロケーション情報を含む、少なくとも第２のデータを含む第２のデータベースとを備えるナビゲーションデバイスのデータベースシステムが提供される。本発明により、ロケーション情報を含む第２のデータが、街路情報を含む第１のデータにリンクされず、これにより、第１のデータを用いずに第２のデータが用いられ得る。これにより、データ処理に極めて高い柔軟性がもたらされる。
【発明を実施するための最良の形態】
【００８２】
図１は、本発明によるデータベースシステムを含むナビゲーションデバイスの模式図である。図２に模式的に示されるナビゲーションデバイス１０は、街路情報を含む、少なくとも第１のデータを構成する第１のデータベース２０を備える。この第１のデータベース２０を用いることによって、コントロールユニット３０は、限定された表示領域における街路を含む街路マップを表示するために必要とされるすべての情報を表示デバイス４０に提供し得る。通常、第１のデータ２１を含む第１のデータベース２０は、街路の方向および長さを示すベクトルとして街路情報を含む。さらに、第２のデータ５１を含む第２のデータベース５０が提供され、これらの第２のデータは、種々のデータフィールド５２を含み得る。第２のデータベース５０のデータフィールド５２の１つに、地理的位置データ５３が格納される。地理的位置データ５３は、この地理的位置データのデータフィールド５２と共にデータセット５４を構成する。図１に示される実施形態において、データセット５４は、第２のデータベース５０の第１のロウに示される。各データセット５４は、その地理的位置ＸおよびＹに従って、第２のデータベース内に格納され、これにより、このデータセットは、第２のデータ５１の地理的位置データに従って配置される。この地理的位置Ｘ、Ｙのロケーション情報は、データセット５４の他のデータフィールドに格納される。このロケーション情報は、街路名、街路の方向規制、ホテル、レストラン、記念碑、イベント、スポーツ競技場、変動または定常速度制限および／または建造物、あるいは、道路の曲率半径または勾配等の道路関連データを含み得る。各データセット内に格納されたロケーション情報は、例えば、レストラン、ホテル、建造物等に利用可能な任意の情報が格納され得る目的地（ＰＯＩ）をさらに含み得る。第２のデータは、ナビゲーションデバイスに供給された後、さらに、ＲＡＭ、フラッシュ等のメモリ、あるいはハードディスク上、またはＣＤ上に格納され得る。地理的位置データ５３に加えて、データセット５４は、方向情報をさらに含み得る。これは、地理的位置データが、ナビゲーションデバイスのユーザが選択する街路の１方向に関してのみ重要である場合に有用であり得る。地理的位置データ５３は、例えば、レーダ速度チェックが行われる速度制限または位置を含み得る。この場合、地理的位置データに含まれる情報は、ある特定の方向、すなわち、ナビゲーションデバイスを備える車両のユーザによって選択された方向に関してのみ有効である。
【００８３】
使用中、第１のデータベース２０の第１のデータ２１が、動作メモリユニット３３の第１のメモリ領域３１に最初に供給され、第２のデータベース５０の第２のデータ５１は、動作メモリユニット３３の第２のメモリ領域３２に供給される。第１のメモリ領域３１および第２のメモリ領域３２における、これらの第１および第２のデータを処理するために、処理ユニット３５は、動作メモリユニットにおける第１および第２のデータを処理する。本発明によると、街路情報を含む第１のデータ、およびロケーション情報を含む第２のデータは、動作メモリユニットに同時に提供され、これにより、これらの２つのデータは、同時に処理され得、従って、表示デバイス４０上に同時に表示され得る。従来技術のナビゲーションデバイスの場合、動作メモリユニット全体は、ナビゲーションのためのマップデータか、またはロケーション情報を含むデータで満たされた。
【００８４】
特定の地理的位置データを発見することを容易にするために、第３のデータベース６０が提供される。この第３のデータベース６０は、第２のデータベースの地理的位置データに関する種々のブロック６１を含む。各ブロック６１は、いくつかのデータセット５４の地理的位置データ５３を含み、かつ、そのブロックに含まれるデータセットの地理的情報に関するインデックスをさらに含む。
【００８５】
特定の地理的位置の特定のロケーション情報が必要とされる場合、この情報は、より容易に発見され得、種々のブロック６１は、各ブロックに含まれる地理的データに関するインデックスを含む。各ブロックは、第２のデータベース５０、および、必要とされる地理的位置データを含むデータセット５４を示す。
【００８６】
本発明によるナビゲーションデバイスは、衛星によって発信されたＧＰＳを受信するためのＧＰＳ受信器７０を備える。このＧＰＳ受信器７０は、通常、走行車両に搭載されたナビゲーションデバイス１０の正確な位置を決定するために必要とされる。
【００８７】
図１に示される種々のユニットは、バスシステム３６によって相互に通信する。
【００８８】
車両の正確な位置を決定するために、ＧＰＳ信号に加えて、いくつかの他の信号が考えられ得る。これらの他の信号は、ジャイロ磁気デバイス、ホイールセンサ等から入来し得る。さらに、車両の正確な位置を街路マップ上に取得するために、マップ整合が行われ得る。これらの信号は、ＧＰＳ衛星から受信されたＧＰＳ信号の支援のみによって正確な位置を決定することが可能でない場合に有用であり得る。これは、ＧＰＳ受信器によって十分なＧＰＳ衛星が検出され得なかった場合がそうである。この場合、上述の特徴を用いることによって車両の位置が検出される。ＧＰＳ信号が「不良」である場合に車両の位置を決定することは「推測航法（ｄｅａｄ  ｒｅｃｋｏｎｉｎｇ）」と呼ばれる。
【００８９】
図２において、ナビゲーションデバイス１０が模式的に示される。ナビゲーションデバイス１０は、コントロールユニット３０、処理ユニット３５、第１のメモリ領域３１および第２のメモリ領域３２を有する動作メモリユニット３３、ならびに、ＧＰＳ受信器７０を備える。ナビゲーションデバイスは、第２の格納ユニット８０をさらに備える。示された実施形態において、この第２の格納ユニットは、第２のデータベース５０および第３のデータベース６０を備える。第２の格納ユニットは、さらに、インターネットを介してデータを提供するサーバ上のナビゲーションデバイスから離して搭載され得る。従って、ナビゲーションデバイス１０は、第２の格納ユニット８０からデータを受信し得る送受信器７５をさらに備える。ナビゲーションデバイスは、第１のデータベース２０を含む第１の格納ユニット９０を備え、ここで、街路情報を含むすべての第１のデータが格納される。
【００９０】
使用中、第１のデータ２１が第１のメモリ領域３１に格納され、かつ、第２のデータ５１が第２のメモリ領域３２に格納され、ここで、これらの領域は、処理ユニット３５によって容易にアクセスされ得る。
【００９１】
ナビゲーションデバイスは、表示ユニット４０、入力／出力ユニット４１、および検索ユニット４２をさらに備える。
【００９２】
ナビゲーションデバイス１０が、当該技術において公知のマップデータ処理ユニット、ルート案内処理ユニット、ルート決定ユニット、マップデータ管理ユニット、音声信号変換ユニット、およびデータバッファ等の、最近のナビゲーションデバイスによって公知の複数の他の特徴を含み得ることを理解されたい。
【００９３】
図２のデバイスは、バスシステム３７を介して相互に通信する。
【００９４】
図３において、フローチャートは、本発明によるデータベースシステムが用いられ得る態様を示す。第１のステップ１００において、走行車のＧＰＳ信号が検出される。ステップ１１０において、ロケーション、すなわち、走行車両の位置が、受信されたＧＰＳ信号データを用いて検出される。その後、第１のデータベース２０に格納された第１のデータ２１が提供され、かつ、走行車両の現在位置を示す街路マップが提供される（ステップ１２０）。ステップ１３０において、所定の要件が決定される。これは、例えば、ナビゲーションデバイスのユーザが、行き先に対する特定の距離の範囲内に位置するすべてのレストランまたはホテル、あるいは、ガソリンスタンドを知ることを所望することを意味する。所定の要件とは、その後、この領域におけるすべてのレストランまたはホテルを発見することである。ステップ１４０において、この所定の要件を満たす第２のデータは、第２のデータベースから提供される。これは、所望された地理的位置データを有するロケーション情報データを検索する検索ユニット４２によって達成され得る。
【００９５】
次のステップにおいて、所定の要件を満たす第２のデータベースのデータが選択され（ステップ１５０）、かつ、ナビゲーションデバイスに供給され得る（ステップ１６０）。
【００９６】
所定の要件を満たす第１のデータ２１および第２のデータ５１は、動作メモリユニット３３の第１のメモリ領域３１および第２のメモリ領域３２に供給される。処理ユニット３５は、第１および第２のメモリ領域にアクセスして、第１および第２のデータを処理し、かつ、該処理されたデータをナビゲーションデバイスに供給する（ステップ１６０）。
【００９７】
この第２のデータのロケーション情報に関する情報は、街路情報を含む第１のデータと共に表示デバイス４０上に表示され得る。
【００９８】
図４において、本発明の別の実施形態が示される。走行車両におけるナビゲーションデバイスのロケーションを決定した後（ステップ１１０）、ステップ１３０において所定の要件が決定される。この実施形態において、この要件は、走行車両が、所定のロケーションを有する選択されたマップ領域に到達すると直ちに、ステップ１３５において、検索ユニット４２が第２のデータベース５０ならびに／あるいは第２のデータベース５０および第３のデータベース６０において、所定のロケーションに関して検索する情報を含み得る。この所定のロケーションは、有名な記念碑であり得、この有名な記念碑の歴史等に関する情報を含むロケーション情報データを含み得る。ステップ１４０において、発見されたデータは、ナビゲーションデバイス１０の第２のメモリ領域に供給され、かつ、ステップ１７０において表示される。この表示は、車両のユーザに選択された記念碑に関して通知するビデオシーケンスを含み得、ならびに／あるいは、この記念碑の車両の現在のロケーションからの距離を含み得る。しかし、同時に、街路マップを含む第１のデータが表示され得る。
【００９９】
本発明のさらなる実施形態において、図５に示されるように、走行車両のロケーションがステップ１１０において決定される。
【０１００】
次のステップにおいて、車両のロケーションが用いられ、車両のロケーションを取り囲む領域、例えば、所定の半径を有する円形が決定される。この円形の中心は、車両の位置である（ステップ１１５）。車両のロケーションを取り囲む領域は、車両速度に依存して作成され得、例えば、高速の場合、この領域は、低速の場合よりも大きくなるように選択される。
【０１０１】
次のステップ１３５において、第２のデータベース５０において検索が実行される。この検索の目的は、決定されたロケーション付近において、第２のデータベース５０に格納されたロケーション情報として、すべてのセキュリティ情報を発見することであり得る（ステップ１４５）。ステップ１７０において、セキュリティ情報は、ナビゲーションデバイス１０の表示デバイス４０上に表示される。対応する地理的位置を有するロケーション情報として第２のデータベースに格納されたこのセキュリティ情報は、速度制限などの情報、あるいは、曲率半径または道路状態等の任意の道路関連データを含み得る。走行中、ナビゲーションデバイス１０は、ＧＰＳを介して車両の現在位置を受信し、従って、どの種類の道路に沿って車両が移動しているのかを決定し得る。第２のデータベースロケーションに、この道路上の速度制限に関する情報が格納され得る。ドライバーが特定の地理的位置に到着した場合、ナビゲーションデバイスは、ユーザが進むことを許された速度をユーザに通知および確認（ｒｅｍｉｎｄ）し得る。セキュリティ情報は、強風の存在、または他の気象条件等の他の情報をさらに含み得る、これらの情報は、無線通信を用いて、または、車両の他のセンサによってナビゲーションデバイスに送信される。この場合、このロケーション情報を含む第２のデータを構成する第２のデータベースは、これらのデータを提供するリモートサーバの一部分であり得る。
【０１０２】
ユーザに供給される情報は、さらに、車両速度に依存して作成され得る。車両速度に依存して、車両のユーザに、危険な湾曲または曲率半径について通知され得る（カーブは、当然、車両の速度に依存して、危険であるという事実）。  
【０１０３】
第２のデータベースに格納されたロケーション情報を含む第２のデータは、ホテル、宿泊料金、空き部屋等、提供される料理に関する詳細な情報付きレストラン、歴史に関する記述付き記念碑、建築術に関する情報付き有名建造物、特定のスポーツイベントに関する情報付きスポーツ競技場等、ユーザに供給され得る任意の情報を含み得る。
【０１０４】
本発明により、公知のデータベースシステムよりもはるかに高い柔軟性を有するデータベースシステムが提供され得る。街路情報データとは完全に無関係のロケーション情報を含むデータは、より規則的に更新され得、街路情報を含む第１のデータとは無関係に販売され得る。さらに、街路情報または他のデータを含むより多くのデータが１つの格納ユニットに格納され得、これに対して、ロケーション情報データは、別の格納ユニットに格納される。本発明によるこのデータベースシステムを用いて、より高い柔軟性を有するナビゲーションデバイスが提供され得る。さらに、ロケーション情報データは、より簡単に更新され得、これにより、「従来技術の」データを含む、費用のかからないナビゲーションデバイスが提供される。
【０１０５】
さらに、ナビゲーションデバイスが車両をナビゲートする動作モードから、さらなるロケーション情報がナビゲーションデバイスのユーザに供給され得るモードに切替えることは、もはや必要ない。これは、第１および第２のデータが、動作メモリユニットに同時に存在するために可能である。その結果これらのデータは、同時に処理および表示され得る。
【０１０６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【０１０７】
（要約）
本発明は、ナビゲーションデバイスのデータベースシステムに関し、このシステムは、街路情報を含む、少なくとも１つの第１のデータを含む第１のデータベースと、この第１のデータとは無関係のロケーション情報を含む、少なくとも第２のデータを含む第２のデータベースと、第１のデータを格納するための第１のメモリ領域および第２のデータを格納するための第２のメモリ領域を備える動作メモリユニットと、第１および第２のデータを処理し、これらの処理された第１および第２のデータをナビゲーションデバイスに供給する処理ユニットであって、第１および第２のデータをそれぞれ処理するために、第１および第２のメモリ領域にアクセスする、処理ユニットとを備える。
【図面の簡単な説明】
【０１０８】
【図１】図１は、本発明の特徴を取り入れたコンポーネントの模式図である。
【図２】図２は、本発明によるナビゲーションデバイスを示す。
【図３】図３は、本発明による情報を提供する方法を示すフローチャートである。
【図４】図４は、本発明の詳細を有する別のフローチャートを示す。
【図５】図５は、本発明による方法を用いる別の実施形態を示す。
【符号の説明】
【０１０９】
１０    ナビゲーションデバイス
２０    第１のデータベース
２１    第１のデータ
３０    コントロールユニット
３１    第１のメモリ領域
３２    第２のメモリ領域
３３    動作メモリユニット
３５    処理ユニット
３６    バスシステム
３７    バスシステム
４０    表示デバイス
４１    入力／出力ユニット
４２    検索ユニット
５０    第２のデータベース
５１    第２のデータ
５２    データフィールド
５３    地理的位置データ
５４    データセット
６０    第３のデータベース
７５    送受信器
９０    第１の格納ユニット
【図１】
2004340951.tif 000003
【図２】
2004340951.tif 000004
【図３】
2004340951.tif 000005
【図４】
2004340951.tif 000006
【図５】
2004340951.tif 000007